(57)【要約】【課題】  簡単な操作で正確に画像読取を行わせることができる画像読取装置を提供する。【解決手段】  原稿載置位置に原稿がセットされると（Ｓ１でＹＥＳ）、当該原稿の画像を撮影部がリアルタイムで撮影し（Ｓ２）、この撮影画像を表示制御部がリアルタイムで表示部に表示させる（Ｓ３）。ユーザが、スキャナ部による読取画像を表示部に表示させる旨の指示を操作部に入力すると（Ｓ７でＹＥＳ）、表示制御部が、表示部の表示内容を、撮影部による撮影画像から、スキャナ部による読取画像に切り換えて表示させる（Ｓ８，Ｓ１０）。これにより、ユーザは、原稿載置位置にセットされた状態の原稿の画像を撮影部に撮影させて表示部でリアルタイムに確認し、確認した内容が期待通りであった場合に、操作部に上記指示を入力して、スキャナ部に読み取らせた出力又は保存用の高精度の画像を表示部に表示させて確認することができる。【選択図】      図３
2005244558.tif 000002
【特許請求の範囲】
【請求項１】
原稿載置位置にセットされた原稿の画像をリアルタイムに撮影する撮影手段と、
前記原稿の画像を出力又は保存用に高精度に読み取る画像読取手段と、
前記撮影手段によって撮影された画像又は画像読取手段によって読み取られた画像を表示する表示手段と、
前記表示手段に、前記画像読取手段による読取画像を表示させる旨の指示がユーザから入力される操作手段と、
前記撮影手段による撮影画像を前記表示手段にリアルタイムに表示させておき、前記操作手段に前記指示が入力された場合に、前記表示手段の表示内容を、前記画像読取手段による読取画像に切り換える表示制御手段と
を備えた画像読取装置。
【請求項２】
前記操作手段に入力されるユーザからの指示に基づいて、前記表示制御手段が、前記撮影手段による撮影画像の前記表示手段での表示形態を変化させる請求項１に記載の画像読取装置。
【請求項３】
前記画像読取手段に読み取られた画像を処理する画像処理手段と、
前記撮影手段による撮影画像を前記表示形態で前記表示手段に表示しているときに、前記画像読取手段に画像を読み取らせる指示が前記操作手段にユーザから入力されると、原稿載置位置にある原稿の画像を前記画像読取手段に読み取らせ、この画像読取手段によって読み取られた画像を、前記表示手段に表示されている表示形態通りに、前記画像処理手段に処理させる制御手段と
を備えた請求項２に記載の画像読取装置。
【請求項４】
前記制御手段は、前記操作手段にユーザから入力された画像編集指示に従って、前記画像読取手段による読取画像を前記画像処理手段に処理させ、
前記表示制御手段は、前記画像処理手段による処理後の画像を前記表示手段に表示させる請求項３に記載の画像読取装置。
【請求項５】
前記撮影手段はCCDカメラからなり、前記画像読取手段は光学式スキャナからなる請求項１乃至請求項４のいずれかに記載の画像読取装置。
【発明の詳細な説明】
【技術分野】
【０００１】
本発明は、原稿上の画像を読み取る画像読取装置に関する。
【背景技術】
【０００２】
従来、複写機等の画像形成装置に備えられ、原稿載置台上に載置された原稿の画像を読み取る画像読取装置が知られている。このような画像読取装置は、例えば、特許文献１に示すように、ＣＣＤ(Charge Coupled Device)センサ及び露光ランプ等からなるスキャナ部と、ガラス等の透明部材により構成された原稿載置台とを備え、スキャナ部は、原稿載置台に対向する位置で原稿面に沿って移動して原稿上の画像を読み取って、ユーザによる読取画像確認を可能とするために、読み取った画像をＬＣＤ（liquid crystal display）等からなる表示部に表示するようになっている。
【特許文献１】特開２０００−３１３７８１号公報
【発明の開示】
【発明が解決しようとする課題】
【０００３】
しかしながら、上記の画像読取装置では、表示部には、原稿がスキャナ部に読み取られた後にしか表示されないため、表示部に表示された読み取り結果が、ユーザの期待と異なる場合は、同じ原稿を再度スキャナ部に読み直させる必要が生じる。そのため、ユーザが、期待する内容で原稿画像を読み取るためには、何度も原稿を読み直して画像読込を調整する手間が生じる場合もあり、正確な原稿の読取には時間を要し、作業も面倒なものとなっていた。
【０００４】
本発明は、上記の問題を解決するためになされたもので、簡単な操作で正確に画像読取を行わせることができる画像読取装置を提供することを目的とする。
【課題を解決するための手段】
【０００５】
本発明の請求項１に記載の発明は、原稿載置位置にセットされた原稿の画像をリアルタイムに撮影する撮影手段と、
前記原稿の画像を出力又は保存用に高精度に読み取る画像読取手段と、
前記撮影手段によって撮影された画像又は画像読取手段によって読み取られた画像を表示する表示手段と、
前記表示手段に、前記画像読取手段による読取画像を表示させる旨の指示がユーザから入力される操作手段と、
前記撮影手段による撮影画像を前記表示手段にリアルタイムに表示させておき、前記操作手段に前記指示が入力された場合に、前記表示手段の表示内容を、前記画像読取手段による読取画像に切り換える表示制御手段と
を備えた画像読取装置である。
【０００６】
この構成では、ユーザが、画像読取手段による読取画像を表示手段に表示させる旨の指示を操作手段に入力すると、表示制御手段が、表示手段の表示内容を、撮影手段による撮影画像から、画像読取手段による読取画像に切り換えて表示させるので、ユーザは、原稿載置位置にセットされた状態の原稿の画像を、撮影手段によって撮影させて表示手段でリアルタイムに確認でき、確認した内容が期待通りであった場合に、操作手段に前記指示を入力して、画像読取手段に読み取らせた出力又は保存用の高精度の画像を、表示手段に表示させて確認することができる。
【０００７】
また、請求項２に記載の発明は、請求項１に記載の画像読取装置であって、前記操作手段に入力されるユーザからの指示に基づいて、前記表示制御手段が、前記撮影手段による撮影画像の前記表示手段での表示形態を変化させるものである。
【０００８】
この構成では、操作手段に入力されるユーザからの指示に基づいて、表示制御手段が、撮影手段による撮影画像の表示手段での表示形態を変化させるので、ユーザは、画像読取手段による高精度な画像読取の前に、撮影手段による撮影画像を用いて、出力又は保存する画像の編集後の状態をシュミレートすることができる。
【０００９】
また、請求項３に記載の発明は、請求項２に記載の画像読取装置であって、前記画像読取手段に読み取られた画像を処理する画像処理手段と、
前記撮影手段による撮影画像を前記表示形態で前記表示手段に表示しているときに、前記画像読取手段に画像を読み取らせる指示が前記操作手段にユーザから入力されると、原稿載置位置にある原稿の画像を前記画像読取手段に読み取らせ、この画像読取手段によって読み取られた画像を、前記表示手段に表示されている表示形態通りに、前記画像処理手段に処理させる制御手段と
を備えたものである。
【００１０】
この構成では、ユーザが、操作手段に、撮影手段による撮影画像の前記表示手段での表示形態を変化させる指示を入力し、表示手段における撮影手段による撮影画像の表示形態を変化させた上で、画像読取手段に画像を読み取らせる指示をユーザが操作手段に入力すると、制御手段が、表示手段に表示されている表示形態通りに、画像読取手段による読取画像を画像処理手段に処理させるので、ユーザは、撮影手段によって撮影された画像を用いて表示手段でシュミレートした通りに、出力又は保存用の高精度な画像読取を画像読取手段に読み取らせることができる。
【００１１】
また、請求項４に記載の発明は、請求項３に記載の画像読取装置であって、前記制御手段は、前記操作手段にユーザから入力された画像編集指示に従って、前記画像読取手段による読取画像を前記画像処理手段に処理させ、
前記表示制御手段は、前記画像処理手段による処理後の画像を前記表示手段に表示させるものである。
【００１２】
この構成では、ユーザが操作手段に画像編集指示を入力すると、制御手段が、画像読取手段による読取画像を上記画像編集指示に従って画像処理手段に処理させ、この処理後の画像を表示制御手段が表示手段に表示させるので、実際に出力又は保存の対象となる上記画像処理後の画像の状態を表示手段で確認することができる。
【００１３】
また、請求項５に記載の発明は、請求項１乃至請求項４のいずれかに記載の画像読取装置であって、前記撮影手段はCCDカメラからなり、前記画像読取手段は光学式スキャナからなるものである。
【００１４】
この構成では、撮影手段がCCDカメラからなるので、原稿載置位置にある原稿の画像のリアルタイムでの撮影及び表示手段への表示を簡易な構成で実現することができる。また、画像読取手段が光学式スキャナであるので、出力又は保存用の高精度な画像読取を行うことができる。
【発明の効果】
【００１５】
請求項１に記載の発明によれば、ユーザは、出力又は保存用の高精度な画像読取の前に、出力又は保存の対象となり得る原稿画像を簡易に確認して、期待通りでなかった場合には、その時点で原稿のセットやり直しを行うこと等が可能なので、何度も原稿を読み込み直して調整する手間を生じることなく、一度の画像読取操作で、期待する内容の原稿画像を正確に読み取らせることが可能になる。
【００１６】
請求項２に記載の発明によれば、ユーザは、画像読取手段による高精度な画像読取の前に、撮影手段による撮影画像を用いて、出力又は保存する画像の編集後の状態をシュミレートすることが可能になる。
【００１７】
請求項３に記載の発明によれば、ユーザは、撮影手段によって撮影された画像を用いて表示手段でシュミレートした通りに、出力又は保存用の高精度な画像読取を画像読取手段に読み取らせることができる。
【００１８】
請求項４に記載の発明によれば、ユーザが操作手段に画像編集指示を入力すると、制御手段が、画像読取手段による読取画像を上記画像編集指示に従って画像処理手段に処理させ、この処理後の画像を表示制御手段が表示手段に表示させるので、実際に出力又は保存の対象となる上記画像処理後の画像の状態を表示手段で確認することができる。
【００１９】
請求項５に記載の発明によれば、撮影手段がCCDカメラからなるので、原稿載置位置にある原稿の画像のリアルタイムでの撮影及び表示手段への表示を簡易な構成で実現することができる。また、画像読取手段が光学式スキャナであるので、出力又は保存用の高精度な画像読取を行うことができる。
【発明を実施するための最良の形態】
【００２０】
以下、本発明に係る画像読取装置の一実施形態に係る複合機について図面を参照しながら説明する。図１は複合機１の内部構成を概略的に示す側面図である。複合機１は、装置本体２と、装置本体２の左方に配設されたスタックトレイ３と、装置本体２の上部に配設された原稿読取部５と、原稿読取部５の上方に配設された原稿給送部６とを有している。
【００２１】
複合機１のフロント部には、操作部（操作手段）４７が設けられている。この操作部４７には、ユーザが印刷（出力）実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部（表示手段）４７３と、表示部４７３で設定された設定内容等をリセットするリセットキー４７４と、実行中の印刷動作を停止させるためのストップキー４７５と、コピー機能、プリンタ機能、スキャナ機能及びファクシミリ機能を切り換えるための機能切換キー４７７が備えられている。
【００２２】
原稿読取部（画像読取手段）５は、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００（図２）へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。スキャナ部５１は、出力又は保存用の画像を高精度に読み取るものである。
【００２３】
撮影部（撮影手段）１５０は、CCDカメラ等からなり、原稿台５２の原稿載置位置に載置された原稿の画像をリアルタイムに撮影するものである。撮影部１５０によって撮影された映像（画像）は、制御部１００の制御によって表示部４７３にリアルタイムに表示される。
【００２４】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２５】
また、原稿給送部６は、その前面側が上方に移動可能となるように装置本体２に対して回動自在に設けられている。原稿給送部６の前面側を上方に移動させて原稿台５２上面を開放することにより、原稿台５２上面の原稿載置位置に読み取り原稿、例えば見開き状態にされた書籍等を操作者がセットできるようになっている。
【００２６】
装置本体２は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。
【００２７】
記録部４０は、スキャナ部５１で取得された画像データに基づきレーザ光等を記録して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ３又は排出トレイ４８まで搬送する搬送ローラ４６３，４６４等とを備える。
【００２８】
また、記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ３又は排出トレイ４８に排出する。
【００２９】
図２は複合機１の概略構成を示す機能ブロック図である。複合機１には、装置全体の動作制御を司る制御部（制御手段）１００が備えられている。この制御部１００には、露光ランプ５１１及びＣＣＤ５１２等からなる原稿画像の読み取りが可能なスキャナ部５１と、用紙搬送装置１３１，画像形成部１３２，転写部４１及び定着部４５等からなる記録部４０とが接続されている。また、制御部１００には、スキャナ部５１で読み取られた文書データ等が一時的に保存される画像メモリ１４０と、大量の文書データを保存可能な記憶容量を有する大容量のＨＤＤ（記憶装置）１８０とが接続されている。
【００３０】
画像処理部（画像処理手段）１６０は、スキャナ部５１に読み取られた画像を、ユーザによって操作部４７に入力された編集指示に従って処理する。例えば、ユーザによって、縮小／拡大の指示が操作部４７に入力されると、ユーザによって指定された倍率に応じて、スキャナ部５１に読み取られた画像を拡大処理又は縮小処理する。
【００３１】
また、画像処理部１６０は、スキャナ部５１による原稿読み取り時には、スキャナ部５１から出力されるアナログ画像信号をデジタル画像に変換し、画質を向上させる画像処理を施した後、圧縮画像に変換する。この圧縮画像は画像メモリ１４０に書き込まれる。制御部１００は、画像メモリ１４０に書き込まれた当該圧縮画像を、文書管理の対象となるデータとしてＨＤＤ１８０に格納することが可能である。また、登録文書のプリントアウト時には、例えば、ＨＤＤ１８０又はネットワーク上の各コンピュータから、プリントアウト対象となるデータが画像メモリ１４０に書き出され、画像処理部１６０は、当該圧縮されたデータを伸張処理し、出力状態に応じた画像処理を施す。例えばレーザ露光の場合には、レーザ信号にアナログ変調する。このアナログ変調された信号に基づいて記録部４０でプリントアウトが行われる。
【００３２】
上述した撮影部１５０も、制御部１００に接続されている。撮影部１５０によって、原稿台５２の原稿載置位置に載置された原稿の画像がリアルタイムに撮影されると、制御部１００が、撮影部１５０によって撮影された映像を表示部４７３にリアルタイムに表示させるようになっている。
【００３３】
原稿センサ２００は、光学式センサ等からなり、原稿台５２の原稿載置位置に載置された原稿の有無を検知するものである。この原稿センサ２００が、原稿載置台５２の原稿載置位置に原稿が存在することを検出して、制御部１００に原稿検出信号を送出すると、制御部１００が、撮影部１５０に、原稿載置位置にある原稿を撮影を開始させる。
【００３４】
また、制御部１００は、複合機１が実行可能な各機能を制御するスキャナコントローラ１０１，ファクシミリコントローラ１０２，プリンタコントローラ１０３，コピーコントローラ１０４及びネットワークコントローラ１０５として機能する。
【００３５】
スキャナコントローラ１０１は、スキャナ部動作に必要な各部の動作制御を行うものである。ファクシミリコントローラ１０２は、ファクシミリ動作に必要な各部の動作制御を行うものであり、ファクシミリ通信に必要なデータの調整を行うファクシミリ通信部１７０を制御する。ファクシミリ通信部１７０には、データ送受信相手である相手先ファクシミリとの電話回線の接続を制御するＮＣＵ（Network Control Unit）が備えられている。コピーコントローラ１０４は、コピー動作に必要な各部の動作制御を行うものである。
【００３６】
プリンタコントローラ１０３は、プリンタ動作に必要な各部の動作制御を行うものである。このプリンタコントローラ１０３には、複数の信号線を用いて同時に数ビットまとめてデータを送るパラレル伝送で外部機器と接続するパラレルＩ／Ｆ部１８１と、単一の信号線を用いて1ビットずつ順次データを送るシリアル伝送で外部機器と接続するシリアルＩ／Ｆ部１８２とが接続されている。
【００３７】
ネットワークコントローラ１０５は、本複合機１とＬＡＮ接続されたコンピュータ等との間で行われるデータ送受信を制御するものである。ネットワークコントローラ１０５は、ネットワークＩ／Ｆ部２１０を介して外部とデータを送受信させる。
【００３８】
操作部４７は、複合機１の操作に必要な各種の指示が操作者（ユーザ）から入力されるものである。操作部４７は、ＬＣＤ（liquid crystal display）等からなり、複合機１の操作に必要な各種操作メッセージ等が表示される表示部（表示手段）４７３と、プリントアウト実行指示や文書のプリントアウト部数等が入力されるテンキー等からなる操作キー部４７０とを有している。なお、表示部４７３は、タッチパネル機能を備え、操作者が当該タッチパネルに接触することによって、表示されている各キーに対応付けられている機能を実行する指示を入力できる構成を有することが好ましい。操作部４７には、撮影部１５０による撮影画像、又はスキャナ部５１による読取画像のいずれを表示部４７３に表示させるかの指示がユーザから入力される。
【００３９】
また、制御部１００は、表示制御部（表示制御手段）１０６を備えている。表示制御部１０６は、操作部４７に入力された指示に従って、表示部４７３に、撮影部１５０による映像と、スキャナ部５１による読取画像とを切り換えて表示させる。また、表示制御部１０６は、操作部４７に入力されるユーザからの指示（縮小／拡大等の画像編集指示）に基づいて、撮影部１５０による映像の表示部４７３での表示形態を変化させる。これにより、スキャナ部５１による原稿画像の読み取り前の段階でも、縮小／拡大等を行って編集した後の画像を、ユーザが表示部４７３で確認できる。
【００４０】
また、制御部１００は、上記のように、撮影部１５０による映像を、上記指示に基づいて表示形態を変化させて表示部４７３に表示している時に、スキャナ部５１に画像を読み取らせる指示が操作部４７にユーザから入力されると、スキャナ部５１に原稿上の画像を読み取らせ、表示部４７３に表示されている表示形態通りに、スキャナ部５１によって読み取られた画像を画像処理部１６０に処理させる。
【００４１】
さらに、制御部１００は、操作部４７にユーザから入力された画像編集指示に従っても、スキャナ部５１によって読み取られた画像を画像処理部１６０に処理させる。表示制御部１０６は、画像処理部１６０によるこれら画像処理後の画像を表示部４７３に表示させる。
【００４２】
次に、複合機１による複写時の処理について説明する。図３は複合機１による複写時の処理を示すフローチャート、図４は原稿確認画面の表示例を示す図、図５は倍率設定画面の表示例を示す図、図６はモニタ位置調整画面の表示例を示す図、図７は出力画像確認画面の表示例を示す図である。
【００４３】
原稿台５２の原稿載置位置に原稿がセットされたことが原稿センサ２００によって検出されると（Ｓ１でＹＥＳ）、制御部１００は、原稿載置位置にある原稿の画像の撮影を撮影部１５０に開始させる（Ｓ２）。制御部１００は、撮影部１５０による原稿画像の撮影を、例えば、撮影を開始してから、スキャナ部５１によって読み取られた画像を表示部４７３に切り換えて表示するまでの間続けさせる。例えば、図４に示すように、原稿載置位置にセットされている原稿の映像をリアルタイムに表示するリアルタイム表示部４７３０を有する原稿画像確認画面を表示部４７３に表示させることにより、撮影部１５０が撮影した映像をリアルタイムで表示部４７３に表示させる（Ｓ３）。
【００４４】
撮影部１５０によって撮影された映像が、表示部４７３にリアルタイムに表示されている時に、ユーザによって操作部４７から画像編集指示（縮小／拡大の指示等）が入力されると（Ｓ４でＹＥＳ）、表示制御部１０６は、撮影部１５０によって撮影された映像を、当該編集指示に応じて表示形態を変化させて（Ｓ５）、表示部４７３に表示させる（Ｓ６）。上記編集指示がユーザによって操作部４７に入力されない場合は、表示制御部１０６は、撮影部１５０によって撮影された映像をそのまま表示部４７３に表示させる（Ｓ４でＮＯ，Ｓ６）。
【００４５】
例えば、図４に示す原稿画像確認画面で「縮小／拡大」キー４７３１が押下されると、表示制御部１０６は、図５に示す倍率設定画面を表示部４７３に表示させる。この倍率設定画面で倍率指定キー４７３２，４７３３又は矢印キー４７３４の押下により、ユーザによる倍率指定が操作部４７に入力されると、指定された倍率に応じて、表示制御部１０６は、リアルタイム表示部４７３０に表示する映像を縮小又は拡大して表示させる。図５は、２倍に拡大する指定が入力された場合の表示形態の例を示している。これにより、ユーザは、スキャナ部５１によって出力又は保存用の高精度の画像読取が行われる前であっても、出力される画像の状態を確認できる。なお、この画像編集後に「ＯＫ」キー４７３９を押下すると、図４の原稿画像確認画面が再び表示部４７３に表示され、画像編集後の原稿画像がリアルタイム表示部４７３０に表示される。
【００４６】
また、図４に示す原稿画像確認画面で「モニタ位置調整」キー４７３６が押下されると、表示制御部１０６は、図６に示すモニタ位置調整画面を表示部４７３に表示させる。このモニタ位置調整画面で矢印キー４７３７の押下により、ユーザによる出力画像読取位置調整の指示が操作部４７に入力されると、表示制御部１０６は、指定された読取位置に応じて、リアルタイム表示部４７３０に表示する映像を変化させる。例えば、矢印キー４７３７を押下すると、出力画像読取範囲枠４７３８に対して原稿画像Ｇが動き、撮影部１５０によって撮影された原稿画像の映像に対する出力画像読取位置を変更する。このようにして、モニタ位置を調整した後に「ＯＫ」キー４７３９を押下すると、図４の原稿画像確認画面が再び表示部４７３に表示され、モニタ位置調整を行った後の原稿画像がリアルタイム表示部４７３０に表示される。
【００４７】
上記画像編集後、原稿画像確認画面（図４）で「出力対象画像表示」キー４７３５が押下されることにより、操作部４７に表示画面切換指示が入力されると（Ｓ７でＹＥＳ）、制御部１００は、スキャナ部５１に原稿画像を読み取らせ（Ｓ８）、このスキャナ部５１によって読み取られた画像を、画像処理部１６０に、上記Ｓ４で入力された編集指示通りに、すなわち、Ｓ６で表示部４７３に表示されている表示形態通りに処理させる（Ｓ９）。そして、表示制御部１０６は、この画像処理後の画像を、例えば、出力画像表示部４７５０を有する出力画像確認画面（図７）により、表示部４７３に表示させる（Ｓ１０）。これにより、撮影部１５０によって撮影された映像が表示部４７３に表示されているときに、ユーザが編集指示を操作部４７に入力すると、入力した編集指示通りに、スキャナ部５１によって読み込まれた画像が処理され、かつ、表示部４７３に表示される。
【００４８】
このスキャナ部５１によって読み取られた画像が表示部４７３に表示されている時にも（Ｓ１０）、ユーザによる操作部４７への画像編集指示に基づいて、画像の編集が可能とされている（Ｓ１１，Ｓ１２）。例えば、出力画像確認画面（図７）の「濃度」キー４７４１，「縮小／拡大」キー４７４２，「カラーバランス」キー４７４３が押下されると、表示制御部１０６が、各設定の数値入力画面を表示部４７３に表示させ、ユーザによる画像編集の指示入力を可能にする。ユーザによって画像編集指示が入力されると（Ｓ１１でＹＥＳ）、制御部１００は、入力された編集指示に従って、上記スキャナ部５１によって読み取られた画像を画像処理部１６０に処理させ（Ｓ１２）、表示制御部１０６は、この画像処理後の画像を、出力画像確認画面の表示部４７５０に表示させる（Ｓ１３）。なお、ユーザにより画像編集指示が操作部４７に入力されない場合は（Ｓ１１でＮＯ）、Ｓ１２の処理はスキップする。
【００４９】
そして、ユーザによって、出力画像確認画面の「出力スタート」キー４７４４が押下されると（Ｓ１４でＹＥＳ）、制御部１００は、表示部４７３に表示している画像を記録部４０に出力させる（Ｓ１５）。
【００５０】
なお、本発明は上記実施の形態の構成に限られず種々の変形が可能である。例えば、上記実施形態では、本発明に係る画像読取装置として、複合機１を例にして説明しているが、本発明に係る画像読取装置は複合機１に限定されるものではなく、複写機、スキャナ装置等の単体機であっても構わない。
【００５１】
また、上記実施形態では、複合機１の構成及び処理を図１乃至図７に示しているが、これらの構成及び処理はあくまでも一例であり、本発明に係る複合機１の構成及び処理は上記に限定されるものではない。例えば、図３では、複合機１によって複写を行う場合の処理を例にして説明しているが、複写ではなく、スキャナ部５１によって読み取られた原稿画像をＨＤＤ１８０に保存する場合や、ファクス機能によりファクス送信する原稿を読み取る場合等にも、図３に示した処理を応用することは可能である。
【図面の簡単な説明】
【００５２】
【図１】本発明の一実施の形態に係る複合機の内部構成を概略的に示す側面図である。
【図２】複合機の概略構成を示す機能ブロック図である。
【図３】複合機による複写時の処理を示すフローチャートである。
【図４】原稿確認画面の表示例を示す図である。
【図５】倍率設定画面の表示例を示す図である。
【図６】モニタ位置調整画面の表示例を示す図である。
【図７】出力画像確認画面の表示例を示す図である。
【符号の説明】
【００５３】
１        複合機
１００    制御部
１０６    表示制御部
４７３    表示部
４７３０  リアルタイム表示部
４７３１  「縮小／拡大」キー
４７３２，４７３３  倍率指定キー
４７３４  矢印キー
４７３５  「出力対象画像表示」キー
４７３６  「モニタ位置調整」キー
４７３７  矢印キー
４７３８  出力画像読取範囲枠
４７３９  「ＯＫ」キー
４７４０  表示部分
４７４１  「濃度」キー
４７４２  「縮小／拡大」キー
４７４３  「カラーバランス」キー
４７４４  「出力スタート」キー
４７５０  出力画像表示部
６１      原稿載置部
１５０    撮影部
１６０    画像処理部
【図１】
2005244558.tif 000003
【図２】
2005244558.tif 000004
【図３】
2005244558.tif 000005
【図４】
2005244558.tif 000006
【図５】
2005244558.tif 000007
【図６】
2005244558.tif 000008
【図７】
2005244558.tif 000009